(57)【要約】【課題】世帯の住所を利用して配信情報を配信するために必要な装置を提供する。【解決手段】世帯の住所を示す世帯アドレスが付加された世帯別ポスト２３が世帯毎に設けられた世帯別ポストＤＢ２２と、配信先住所を宛先とする配信情報がＰＵＳＨ型で配信されると、配信先住所に適合する世帯アドレスが付加された世帯別ポスト２３を世帯別ポストＤＢ２２から検索し、検索した世帯別ポスト２３に配信情報を保存する情報転送手段２０と、世帯アドレスを指定してログオンした端末装置４に対して、ログオン時に指定された世帯アドレスが付加された世帯別ポスト２３内の配信情報のリストを表示するページを送信した後、端末装置４上にて選択された世帯別ポスト２３内の配信情報を端末装置４へ送信する情報管理手段２１を備えている【選択図】図３
2013206358.tif 000002
【特許請求の範囲】
【請求項１】
世帯の住所を示す世帯アドレスが付加された世帯別ポストが世帯毎に設けられた世帯別ポストＤＢと、
配信先住所を宛先とする配信情報がＰＵＳＨ型で配信されると、配信先住所に適合する前記世帯アドレスが付加された前記世帯別ポストを前記世帯別ポストＤＢから検索し、検索した前記世帯別ポストに前記配信情報を保存する情報転送手段と、
前記世帯アドレスを指定してログオンした端末装置に対して、ログオン時に指定された前記世帯アドレスが付加された前記世帯別ポスト内の前記配信情報のリストを表示するページを送信した後、前記端末装置上にて選択された前記世帯別ポスト内の前記配信情報を前記端末装置へ送信する情報管理手段と、
を備えたことを特徴とする世帯別ポスト管理装置。
【請求項２】
前記情報転送手段は、前記配信情報の配信先住所が区域を示す住所の場合、この配信先住所によって示される区域内の住所に対応する前記世帯アドレスが付加された前記世帯別ポストを検索することを特徴とする、請求項１に記載した世帯別ポスト管理装置。
【請求項３】
前記世帯別ポスト内に世帯員の姓名で識別する個人別ポストを設け、
前記情報管理手段は、前記世帯別ポスト内の前記配信情報を前記個人別ポスト内にコピーできる形態で、ログオン時に指定された前記世帯アドレスが付加された前記世帯別ポスト内の前記配信情報のリストと、ログオンした前記端末装置上で選択された前記個人別ポスト内の前記配信情報のリストを表示するページを前記端末装置に送信し、
前記個人別ポスト内の前記配信情報が前記端末装置上で選択されると、前記世帯別ポスト内の前記配信情報として、前記個人別ポスト内に保存され、前記端末装置上にて選択された前記配信情報を前記端末装置へ送信することを特徴とする、請求項１または２に記載した世帯別ポスト管理装置。
【請求項４】
前記情報管理手段は、前記端末装置上にて前記世帯別ポスト内の前記配信情報が選択された場合、前記配信情報の閲覧ログとして、前記端末装置上にて選択された前記世帯別ポスト内の前記配信情報に既読フラグを付加し、前記端末装置上にて前記個人別ポスト内の前記配信情報が選択された場合、前記配信情報の閲覧ログとして、前記端末装置上にて選択された前記個人別ポスト内の前記配信情報に既読フラグを付加することを特徴とする、請求項１乃至３のいずれか一項に記載した世帯別ポスト管理装置。
【請求項５】
前記情報管理手段は、前記配信情報の閲覧ログとして、前記配信情報を前記端末装置へ送信してから前記配信情報の表示が終了するまでの時間を計測し、前記端末装置に送信した前記世帯別ポスト内の前記配信情報に計測した時間を付加して記憶することを特徴とする、請求項４に記載した世帯別ポスト管理装置。
【請求項６】
前記情報転送手段は、前記配信情報の受信日時を付加して前記配信情報を前記世帯別ポストに記憶し、
前記情報管理手段は、所定のトリガーが成立すると、前記世帯別ポストに保存している前記配信情報毎に、前記配信情報の受信日時とこの時点の日時を比較し、受信日時から一定期間が過ぎても既読フラグが付加されていない前記配信情報を前記世帯別ポスト内から削除することを特徴とする、請求項４または５に記載した世帯別ポスト管理装置。
【請求項７】
配信先住所を宛先とする配信情報をＰＵＳＨ型で配信する情報配信装置と、情報配信装置からＰＵＳＨ型で前記配信情報が配信される世帯別ポスト管理装置と、前記世帯別ポスト管理装置からＰＵＬＬ型で配信情報が配信される端末装置とから少なくとも構成される世帯別ポストシステムであって、
前記世帯別ポスト管理装置は、
世帯の住所を示す世帯アドレスが付加された世帯別ポストが世帯毎に設けられた世帯別ポストＤＢと、
配信先住所を宛先とする配信情報が前記情報配信装置からＰＵＳＨ型で配信されると、配信先住所に適合する前記世帯アドレスが付加された前記世帯別ポストを前記世帯別ポストＤＢから検索し、検索した前記世帯別ポストに前記配信情報を保存する情報転送手段と、
前記世帯アドレスを指定してログオンした前記端末装置に対して、ログオン時に指定された前記世帯アドレスが付加された前記世帯別ポスト内の前記配信情報のリストを表示するページを送信した後、前記端末装置上にて選択された前記世帯別ポスト内の前記配信情報を前記端末装置へ送信する情報管理手段と、
を備えていることを特徴とする世帯別ポストシステム。
【発明の詳細な説明】
【技術分野】
【０００１】
本発明は、郵便物、新聞、チラシなどの投函物を電子化した情報の宛先として、世帯の住所を利用できるようにするための発明である。
【背景技術】
【０００２】
実社会では各世帯に郵便ポストが設置され、郵便物、新聞、チラシなど様々な投函物が郵便ポストに投函されているが、インターネットの普及に伴い、郵便ポストに投函されてきたこれらの投函物は電子メールに切り替わる傾向にある。
【０００３】
郵便ポストに投函されてきた投函物を電子メールへ切り替える作業は容易と思われるかも知れないが、実際に、郵便ポストに投函されてきた投函物を電子メールに切り替えようとすると幾つかの問題にぶつかる。
【０００４】
一つ目の問題は、メールアドレスの入手にかかる問題である。電子メールを送信するためには個人宛てのメールアドレスが必要であるが、郵便ポストに投函されてきた投函物の発行元は、個人のメールアドレスを入手していないのが普通である。キャンペーンや懸賞クイズなどを実施して個人のメールアドレスを入手することも考えられるが、キャンペーンや懸賞クイズなどの実施には相当な労力と費用を要してしまう。
【０００５】
二つ目の問題は、電子メールは世帯宛てに送信できない問題である。郵便ポストには、チラシや新聞など世帯宛ての投函物も投函されるが、電子メールは個人宛に送信されるため、世帯宛てに電子メールを送信することはできなかった。
【０００６】
このような問題を鑑みると、世帯で固有の情報を宛先として、投函物を電子化した情報を送信できることが望ましく、世帯で固有の情報を宛先として電子メールを送信できる発明として、例えば、特許文献１において、世帯で固有の情報である電話番号を利用して電子メールを送信できるようにした発明が開示されている。
【０００７】
特許文献１で開示されているシステムでは、消費者の電話番号を利用して電子メールを送信できるように、消費者の電話番号をメールアカウントとするメールボックスが設けられ、電話番号を宛先とする電子メールは、電話番号に対応するメールボックスに振り分けられる。そして、消費者が電子メールを読み出す際は、パスワードにより消費者を認証した後、ファクシミリなどを利用してメールボックス内の電子メールが消費者に送信される。
【０００８】
このように、特許文献１の発明では、個人の電話番号をメールアカウントに利用しているが、郵便物、新聞、チラシなどの投函物の発行元からすると、投函物の投函先は世帯の住所で管理しているため、郵便物、新聞、チラシなどの投函物を電子化した情報の宛先として、世帯の住所を利用できることが望ましい。
【先行技術文献】
【特許文献】
【０００９】
【特許文献１】特開２００１−２５７７１２号公報
【発明の概要】
【発明が解決しようとする課題】
【００１０】
そこで、本発明は、郵便物、新聞、チラシなどの投函物を電子化した情報を世帯の住所宛てに配信するために必要な装置およびシステムを提供することを目的とする。
【課題を解決するための手段】
【００１１】
上述した課題を解決する第１の発明は、郵便物、新聞、チラシなどの投函物を電子化した情報の宛先として、世帯の住所を利用できるように発案された装置で、世帯の住所を示す世帯アドレスが付加された世帯別ポストが世帯毎に設けられた世帯別ポストＤＢと、配信先住所を宛先とする配信情報がＰＵＳＨ型で配信されると、配信先住所に適合する前記世帯アドレスが付加された前記世帯別ポストを前記世帯別ポストＤＢから検索し、検索した前記世帯別ポストに前記配信情報を保存する情報転送手段と、前記世帯アドレスを指定してログオンした端末装置に対して、ログオン時に指定された前記世帯アドレスが付加された前記世帯別ポスト内の前記配信情報のリストを表示するページを送信した後、前記端末装置上にて選択された前記世帯別ポスト内の前記配信情報を前記端末装置へ送信する情報管理手段を備えたことを特徴とする世帯別ポスト管理装置である。
【００１２】
更に、第２の発明は、第１の発明に記載した世帯別ポスト管理装置において、区域内の世帯に前記配信情報を配信できるように、前記情報転送手段は、前記配信情報の配信先住所が区域を示す住所の場合、この配信先住所によって示される区域内の住所に対応する前記世帯アドレスが付加された前記世帯別ポストを検索することを特徴とする。
【００１３】
更に、第３の発明は、第１の発明または第２の発明に記載した世帯別ポスト管理装置において、世帯の世帯員毎に前記配信情報の配信を管理できるように、前記世帯別ポスト内に世帯員の姓名で識別する個人別ポストを設け、前記情報管理手段は、前記世帯別ポスト内の前記配信情報を前記個人別ポスト内にコピーできる形態で、ログオン時に指定された前記世帯アドレスが付加された前記世帯別ポスト内の前記配信情報のリストと、ログオンした前記端末装置上で選択された前記個人別ポスト内の前記配信情報のリストを表示するページを前記端末装置に送信し、前記個人別ポスト内の前記配信情報が前記端末装置上で選択されると、前記世帯別ポスト内の前記配信情報として、前記個人別ポスト内に保存され、前記端末装置上にて選択された前記配信情報を前記端末装置へ送信することを特徴とする。
【００１４】
更に、第４の発明は、第１の発明乃至第３の発明のいずれか一つに記載した世帯別ポスト管理装置において、前記配信情報の閲覧ログを管理できるように、前記情報管理手段は、前記端末装置上にて前記世帯別ポスト内の前記配信情報が選択された場合、前記配信情報の閲覧ログとして、前記端末装置上にて選択された前記世帯別ポスト内の前記配信情報に既読フラグを付加し、前記端末装置上にて前記個人別ポスト内の前記配信情報が選択された場合、前記配信情報の閲覧ログとして、前記端末装置上にて選択された前記個人別ポスト内の前記配信情報に既読フラグを付加することを特徴とする。
【００１５】
更に、第５の発明は、第４の発明に記載した世帯別ポスト管理装置において、前記配信情報の閲覧時間を閲覧ログとして管理できるように、前記情報管理手段は、前記配信情報の閲覧ログとして、前記配信情報を前記端末装置へ送信してから前記配信情報の表示が終了するまでの時間を計測し、前記端末装置に送信した前記世帯別ポスト内の前記配信情報に計測した時間を付加して記憶することを特徴とする。なお、ここで、閲覧時間とは、配信情報の閲覧に要した時間を意味する。
【００１６】
更に、第６の発明は、第４の発明または第５の発明に記載した世帯別ポスト管理装置において、受信してから一定期間が経過しても閲覧されていない配信情報を削除できるように、前記情報転送手段は、前記配信情報の受信日時を付加して前記配信情報を前記世帯別ポストに記憶し、前記情報管理手段は、所定のトリガーが成立すると、前記世帯別ポストに保存している前記配信情報毎に、前記配信情報の受信日時とこの時点の日時を比較し、受信日時から一定期間が過ぎても既読フラグが付加されていない前記配信情報を前記世帯別ポスト内から削除することを特徴とする。
【００１７】
なお、前記個人別ポストは前記世帯別ポスト内に設けられているため、第４の発明乃至第６の発明において、前記世帯別ポスト内の前記配信情報とは、前記世帯別ポストに保存されている前記配信情報、または、前記個人別ポストに保存されている前記配信情報のいずれかになる。
【００１８】
更に、第７の発明は、郵便物、新聞、チラシなどの投函物を電子化した情報の宛先として、世帯の住所を利用できるように発案されたシステムで、配信先住所を宛先とする配信情報をＰＵＳＨ型で配信する情報配信装置と、情報配信装置からＰＵＳＨ型で前記配信情報が配信される世帯別ポスト管理装置と、前記世帯別ポスト管理装置からＰＵＬＬ型で配信情報が配信される端末装置とから少なくとも構成される世帯別ポストシステムであって、前記世帯別ポスト管理装置は、世帯の住所を示す世帯アドレスが付加された世帯別ポストが世帯毎に設けられた世帯別ポストＤＢと、配信先住所を宛先とする配信情報が前記情報配信装置からＰＵＳＨ型で配信されると、配信先住所に適合する前記世帯アドレスが付加された前記世帯別ポストを前記世帯別ポストＤＢから検索し、検索した前記世帯別ポストに前記配信情報を保存する情報転送手段と、前記世帯アドレスを指定してログオンした前記端末装置に対して、ログオン時に指定された前記世帯アドレスが付加された前記世帯別ポスト内の前記配信情報のリストを表示するページを送信した後、前記端末装置上にて選択された前記世帯別ポスト内の前記配信情報を前記端末装置へ送信する情報管理手段とを備えていることを特徴とする。
【発明の効果】
【００１９】
このように、上述した本発明によれば、郵便物、新聞、チラシなどの投函物を電子化した情報を世帯の住所宛てに配信するために必要な装置およびシステムを提供できる。
【図面の簡単な説明】
【００２０】
【図１】世帯別ポストシステムの構成を説明する図。
【図２】世帯別ポストＤＢを説明する図。
【図３】世帯別ポスト管理装置に備えられた機能を説明する図。
【図４】世帯別ポスト管理装置の情報転送手段の動作を説明する図。
【図５】世帯別ポスト管理装置の情報管理手段の動作を説明する第１図。
【図６】世帯別ポスト管理装置の情報管理手段の動作を説明する第２図。
【図７】世帯別ポスト管理装置の情報管理手段の動作を説明する第３図。
【図８】世帯別ポスト管理装置の情報管理手段の動作を説明する第４図。
【図９】世帯別ポスト管理装置の情報管理手段の動作を説明する第５図。
【図１０】個人別ポスト選択ページを説明する図。
【図１１】個人別ポストページを説明する図。
【発明を実施するための形態】
【００２１】
ここから、本発明の好適な実施形態について、図面を参照しながら詳細に説明する。なお、これから説明する実施形態は本発明の一つの実施形態にしか過ぎず、本発明は、これから説明する実施形態に限定されることなく、種々の変形や変更が可能である。
【００２２】
図１は、本実施形態にかかる世帯別ポストシステム１の構成を説明する図である。図１で図示した世帯別ポストシステム１は、世帯の住所を利用して配信情報を配信できるように開発されたシステムで、図１の世帯別ポストシステム１は、配信先の世帯を特定するための配信先住所を付加した配信情報をＰＵＳＨ型で配信する情報配信装置３と、情報配信装置３からＰＵＳＨ型で配信情報が配信される世帯別ポスト管理装置２と、世帯別ポスト管理装置２からＰＵＬＬ型で配信情報が配信される端末装置４とから少なくとも構成される。
【００２３】
なお、本実施形態において、ＰＵＳＨ型の配信とは、世帯別ポスト管理装置２側が情報配信装置３と連携してユーザーに対して能動的に配信情報を配信する方式を意味し、ＰＵＬＬ型の配信とは、世帯別ポスト管理装置２側がユーザーの要求に応じて配信情報を配信する方式を意味する。
【００２４】
ここから、図１で図示した世帯別ポストシステム１の中核をなす世帯別ポスト管理装置２について説明しながら、図１の世帯別ポストシステム１を構成する他の装置（端末装置４と情報配信装置３）についても説明する。
【００２５】
世帯別ポスト管理装置２は、汎用のネットワークサーバを利用して実現される装置で、この世帯別ポスト管理装置２には、情報配信装置３からＰＵＳＨ型で配信された配信情報を保存する世帯別ポストＤＢ２２（DB: DataBase）が接続されている。
【００２６】
図２は、世帯別ポストＤＢ２２を説明する図である。図２に図示したように、世帯別ポストＤＢ２２には、利用権限が与えられた世帯毎に、メールボックスのような役割を果たす世帯別ポスト２３が設けられ、この世帯別ポスト２３には、世帯別ポスト２３の利用権限が与えられた世帯の住所を示す世帯アドレスが付加されている。
【００２７】
世帯別ポスト２３に付加される世帯アドレスは、「丁目」、「地番」および「支号」を「−」ハイフンを用いた表記にするなど、所定の規則に従い住所を正規化した後、正規化した住所を変換した値で、正規化した住所の変換には、「郵便番号」や「全国町・字（まちあざ）ファイル」など、住所をコード化した既存の体系を利用することができる。
【００２８】
また、本実施形態では、世帯別ポスト２３の利用権限が与えられた世帯を構成する世帯員毎に、世帯員の姓名で識別する個人別ポスト２４が世帯別ポスト２３内に設けられている。
【００２９】
更に、世帯別ポスト２３には、世帯別ポスト２３を利用するユーザの正当性検証に利用するパスワードが付加されている。なお、ユーザの正当性認証に利用する情報はパスワード以外の情報であってもよい。
【００３０】
図３は、世帯別ポスト管理装置２に備えられた機能を説明する図である。世帯別ポスト管理装置２を動作させるコンピュータプログラムにより実現される手段として、配信先住所を宛先とする配信情報がＰＵＳＨ型で情報配信装置３から配信されると、配信情報の配信先住所に適合する世帯アドレスが付加された世帯別ポスト２３を、配信情報を振り分ける世帯別ポスト２３として検索し、検索した世帯別ポスト２３に配信情報を保存する情報転送手段２０を備える。
【００３１】
図４は、世帯別ポスト管理装置２の情報転送手段２０の動作を説明する図である。
【００３２】
情報配信装置３は、郵便物、新聞、チラシなどを電子化した配信情報をＰＵＳＨ型で世帯に送信する際、件名、配信元および配信先住所を少なくともヘッダとし、郵便物、新聞、チラシなどの内容を本文とする配信情報を、世帯別ポスト管理装置２の所定のアドレスに対してＰＵＳＨ型で配信する（Ｓ１）。
【００３３】
配信情報の配信先住所は、配信情報の宛先となる世帯を示す情報で、世帯の住所（例えば、東京都新宿区市谷加賀町一丁目１番１号）を配信先住所とすれば、配信先住所で示される住所にある世帯に対して配信情報を配信できる。なお、世帯員を特定して配送情報を配信したい場合は、郵便物の宛名と同様に、世帯員の姓名を付加した形態の配信先住所（例えば、東京都新宿区市谷加賀町一丁目１番１号  日本太郎）を用いるとよい。
【００３４】
また、区域を示す住所（例えば、東京都新宿区市谷加賀町）を配信情報の配信先住所とすれば、チラシなどを同様に、配信先住所で示される区域内に住所がある世帯に対して配信情報を配信することができる。
【００３５】
なお、情報配信装置３が配信する配信情報の最終的な配信先（ここでは、世帯）と、配信情報の実際の送信先（ここでは、世帯別ポスト管理装置２）は異なるため、情報配信装置３は、配信情報の送信先とは別に、配信先住所を配信情報に付加することになる。
【００３６】
例えば、配信情報を電子メールで世帯別ポスト管理装置２へ送信する場合、＜＞で括った世帯別ポスト管理装置２のメールアドレスの前に配信先住所を記述することになる。また、ＦＴＰなどにより配信情報を世帯別ポスト管理装置２へ送信する場合、配信先住所は配信情報のメタ情報に含まれることになる。
【００３７】
情報配信装置３から配信情報を受信すると、世帯別ポスト管理装置２の情報転送手段２０が作動し、世帯別ポスト管理装置２の情報転送手段２０は、配信情報の配信先住所に適合する世帯アドレスを世帯別ポストＤＢ２２から検索する（Ｓ２）。
【００３８】
配信情報の配信先住所に適合する世帯アドレスを世帯別ポストＤＢ２２から検索するとき、世帯別ポスト管理装置２の情報転送手段２０は、まず、世帯アドレスと同じ規則に従い、情報配信装置３から受信した配信情報の配信先住所を数値に変換した後、この数値に適合する世帯アドレスを世帯別ポストＤＢ２２から検索する。
【００３９】
配信先住所が世帯の住所の場合、世帯別ポスト管理装置２の情報転送手段２０は、配信先住所を変換した数値と全文一致する世帯アドレスを検索する。また、配信先住所が区域の住所の場合、世帯別ポスト管理装置２の情報転送手段２０は、配信先住所を変換した数値と前方一致する世帯アドレスを検索する。
【００４０】
世帯別ポスト管理装置２の情報転送手段２０は、配信情報の配信先住所に適合する世帯アドレスを検索すると、情報配信装置３から送信された配信情報を振り分ける世帯別ポスト２３を、検索した世帯アドレスが付加された世帯別ポスト２３とし、配信情報を受信した時の受信日時を付加してこの配信情報をこの世帯別ポスト２３に保存して（Ｓ３）、図４の手順は終了する。
【００４１】
図３の説明に戻る。世帯別ポスト管理装置２は、これまでに説明した情報転送手段２０に加え、Ａｊａｘ技術を用いたＷｅｂアプリケーションなどにより実現される手段として、世帯アドレスを指定してログオンした端末装置４に対して、ログオン時に指定された世帯アドレスが付加された世帯別ポスト２３内の配信情報のリストを表示するページを送信した後、端末装置４上にて選択された世帯別ポスト２３内の配信情報を端末装置４へ送信して、この配信情報を端末装置４に表示させる情報管理手段２１を備えている。
【００４２】
なお、本実施形態では、個人別ポスト２４毎に配信情報の配信を管理できるように、本実施形体の情報管理手段２１は、世帯別ポスト２３内の配信情報を個人別ポスト２４内にコピーできる形態で、ログオン時に指定された世帯アドレスが付加された世帯別ポスト２３内の配信情報のリストと、ログオンした端末情報４上で選択された個人別ポスト２４内の配信情報のリストを表示するページを端末装置４に送信し、個人別ポスト２４内の配信情報が端末装置４上で選択されると、世帯別ポスト２３内の配信情報として、個人別ポスト２４内に保存され、端末装置４上にて選択された配信情報を端末装置４へ送信する。
【００４３】
世帯別ポスト２３内の配信情報をＰＵＬＬ型で端末装置４に配信するのは、配信情報の閲覧の状況を世帯別ポスト管理装置２側で把握し、世帯別ポスト管理装置２側で配信情報の閲覧ログを取得できるようにするためである。
【００４４】
配信情報の閲覧ログとしては、配信情報の閲覧の有無と閲覧時間が考えられ、配信情報の閲覧ログを世帯別ポスト管理装置２側で管理できるようにすれば、世帯員の個人情報を配信元に開示せず、配信情報の閲覧ログの集計結果のみを配信情報の配信元に提供できるようになる。
【００４５】
また、配信情報の閲覧の有無を閲覧ログとして取得することで、世帯別ポスト２３に保存している配信情報のリストを送信する時など、所定のトリガーが成立すると、受信日時から一定期間が過ぎても閲覧されていない配信情報を世帯別ポスト２３から削除することもできるようになる。
【００４６】
図５から図９はそれぞれ、世帯別ポスト管理装置２の情報管理手段２１の動作を説明する第１図から第５図である。
【００４７】
端末装置４から世帯別ポスト管理装置２にログイン要求があると（Ｓ１０）、世帯別ポスト管理装置２の情報管理手段２１は、世帯の世帯アドレスとパスワードを取得するフォームを含むログインページを端末装置４へ送信する（Ｓ１１）。
【００４８】
世帯アドレスとパスワードがログインページに入力されると、端末装置４は、世帯アドレスおよびパスワードを世帯別ポスト管理装置２の情報管理手段２１へ送信し（Ｓ１２）、世帯別ポスト管理装置２の情報管理手段２１は、世帯アドレスとパスワードを端末装置４から取得する（Ｓ１３）。
【００４９】
世帯アドレスおよびパスワードを端末装置４から取得すると、世帯別ポスト管理装置２の情報管理手段２１は、この世帯アドレスに対応する世帯別ポスト２３に付加されているパスワードと端末装置４から取得したパスワードを照合する（Ｓ１４）。
【００５０】
世帯別ポスト管理装置２の情報管理手段２１は、パスワードの照合に成功すると、受信してから一定期間が経過しても閲覧されていない配信情報を削除する処理として、世帯別ポスト２３に保存している配信情報毎に、配信情報の受信日時とこの時点の日時を比較し、受信日時から一定期間が過ぎても既読フラグが付加されていない配信情報を世帯別ポスト２３から削除する（Ｓ１５）。
【００５１】
受信してから一定期間が経過しても閲覧されていない配信情報を削除すると、世帯別ポスト管理装置２の情報管理手段２１は、ログイン時に指定された世帯別ポスト２３に関連付けられた個人別ポスト２４の中から一つの個人別ポスト２４を選択させる個人別ポスト選択ページを端末装置４へ送信する（Ｓ１６）。
【００５２】
なお、Ａｊａｘ技術を利用したＷｅｂアプリケーションにより情報管理手段２１を実現する場合、端末装置４に表示する文字や図形を描写するＨＴＭＬとＪａｖａ（登録商標）のスクリプトが含まれるページが端末装置４へ送信される。そして、端末装置４上で操作が行われると、操作に応じたリクエストが情報管理手段２１へ送信され、リクエストに応じた部分が更新されることになる。
【００５３】
図１０は、個人別ポスト選択ページを説明する図である。図１０の個人別ポスト選択ページ２５には、世帯別ポスト２３内に設けられている個人別ポスト２４のリストが表示される。図６では、この個人別ポスト２４毎に、個人別ポスト２４の内容を縮小表示した縮小画面２５１が表示され、一つの縮小画面２５１を選択することで、個人別ポスト２４を選択できるようにしている。
【００５４】
個人別ポスト選択ページ２５を端末装置４へ送信した後、端末装置４にて個人別ポスト２４を選択する操作がなされると、選択した個人別ポスト２４の内容を表示するリクエストが端末装置４から世界ポスト装置の情報管理手段２１へ送信される（Ｓ１７）。
【００５５】
世帯別ポスト管理装置２の情報管理手段２１は、個人別ポスト２４の内容を表示するリクエストを受信すると、このリクエストにより指定された個人別ポスト２４の内容を表示する個人別ポストページを動的に生成し、端末装置４へ個人別ポストページを送信する（Ｓ１８）。
【００５６】
図１１は、個人別ポストページを説明する図である。図１１の個人別ポストページ２６には、世帯別ポスト２３に保存されている配信情報のリストを表示するトレイ部２６０と、個人別ポスト２４に保存されている配信情報のリストを表示する個人別ポスト部２６３と、配信情報を表示するビューア部２６５が含まれる。
【００５７】
図１１に図示したように、個人別ポストページ２６のトレイ部２６０は、ログイン時に指定された世帯別ポスト２３のグラフィカルユーザインタフェース（ＧＵＩ）となる画面で、世帯別ポスト２３に保存されている配信情報の件名がリスト化されて表示される。また、個人別ポストページ２６のトレイ部２６０には、配信情報の件名に対応させて、件名に対応する配信情報を個人別ポスト２４にコピーするコピーボタン２６１と、件名に対応する配信情報を削除する削除ボタン２６２が表示されている。
【００５８】
個人別ポストページ２６の個人別ポスト部２６３は、選択された個人別ポスト２４のＧＵＩとなる画面で、見栄えを良くするためには、個人別ポスト部２６３の背景をコルクボードにすることが望ましい。
【００５９】
図１１に図示したように、個人別ポストページ２６の個人別ポスト部２６３には、選択された個人別ポスト２４に保管されている配信情報のアイコン２６４が少なくとも表示され、本実施形態では、配信情報の配信先住所に従いアイコン２６４を変更するようにしている。
【００６０】
配信情報の配信先住所が区域を示す住所の場合、この配信情報は区域にある世帯宛に配信された情報であるため、この配信情報のアイコン２６４を紙片状のアイコン２６４ｃとしている。また、配信情報の配信先住所が世帯の住所の場合、この配信情報は特定の世帯宛に配信された情報であるため、この配信情報のアイコン２６４を封筒状のアイコン２６４ａにしている。更に、封筒状のアイコン２６４ａに対応する配信情報が選択されると、封筒状のアイコン２６４ａを封筒が開封された状態のアイコン２６４ｂに変更している。
【００６１】
端末装置４は個人別ポストページ２６を表示した後、端末装置４上で操作が実行されると、操作に応じたリクエストを世帯別ポスト管理装置２の情報管理手段２１へ送信し（Ｓ１９）、世帯別ポスト管理装置２の情報管理手段２１は、端末装置４上で実行された操作に応じた処理を実行する（Ｓ２０）。
【００６２】
図６は、配信情報を配信要求する操作がなされた時の処理を説明する図である。個人別ポストページ２６の個人別ポスト部２６３に表示されているアイコン２６４の一つが選択されると、端末装置４は、世帯別ポスト管理装置２の情報管理手段２１に対して、選択されたアイコン２６４に対応する配信情報を配信要求するリクエストを送信する（Ｓ３０）。
【００６３】
世帯別ポスト管理装置２の情報管理手段２１は、配信情報を配信要求するリクエストを受信すると、このリクエストで示される配信情報を個人別ポストページ２６のビューア部２６５に表示するページを端末装置４へ送信し（Ｓ３１）、端末装置４は、個人別ポストページ２６のビューア部２６５に配信情報を表示し（Ｓ３２）、図５のＳ２０に戻る。
【００６４】
なお、配信情報の閲覧ログとして、配信情報の有無を記憶する際、世帯別ポスト管理装置２の情報管理手段２１は、個人別ポストページ２６に対応した個人別ポスト２４を参照し、端末装置４へ送信した配信情報に既読フラグが付加されていない場合、この配信情報に既読フラグを付加する。
【００６５】
また、配信情報の閲覧ログとして配信情報の閲覧時間を記憶する際、世帯別ポスト管理装置２の情報管理手段２１は、端末装置４に表示されている個人別ポストページ２６のビューア部２６５に配信情報を表示してから、ビューア部２６５の内容が切り替わるまでの時間を計測する。そして、個人別ポストページ２６に対応した個人別ポスト２４を参照し、個人別ポストページ２６のビューア部２６５に表示していた個人別ポスト２４内の配信情報に閲覧時間を付加する。
【００６６】
図７は、配信情報を個人別ポスト２４から削除する操作がなされた時の処理を説明する図である。個人別ポストページ２６の個人別ポスト部２６３の外にアイコン２６４を移動させる操作など、個人別ポストページ２６の個人別ポスト部２６３に保存している配信情報を削除する操作がなされると、端末装置４は、世帯別ポスト管理装置２の情報管理手段２１に対して、操作の対象となったアイコン２６４に対応する配信情報を個人別ポスト２４から削除するリクエストを送信する（Ｓ４０）。
【００６７】
世帯別ポスト２３の情報管理手段２１は、配信情報を個人別ポスト２４から削除するリクエストを端末装置４から受信すると、このリクエストで示される配信情報を個人別ポスト２４から削除した後、この配信情報に対応するアイコン２６４を削除した後の個人別ポスト部２６３のページを端末装置４へ送信し（Ｓ４１）、端末装置４は、個人別ポストページ２６の個人別ポスト部２６３を更新して、図５のＳ２０に戻る。（Ｓ４２）。
【００６８】
図８は、配信情報を世帯別ポスト２３から削除する操作がなされた時の処理を説明する図である。トレイ部２６０の削除ボタン２６２が選択されると、端末装置４は、世帯別ポスト管理装置２の情報管理手段２１に対して、選択された削除ボタン２６２に対応する配信情報を世帯別ポスト２３から削除するリクエストを送信する（Ｓ５０）。
【００６９】
世帯別ポスト２３の情報管理手段２１は、配信情報を世帯別ポスト２３から削除するリクエストを端末装置４から受信すると、このリクエストで示される配信情報を世帯別ポスト２３から削除した後、配信情報を削除した後のトレイ部２６０のページを端末装置４へ送信し（Ｓ５１）、端末装置４は、個人別ポストページ２６のトレイ部２６０を更新して（Ｓ５２）、図５のＳ２０に戻る。
【００７０】
図９は、配信情報を個人別ポスト２４にコピーする操作がなされた時の処理を説明する図である。トレイ部２６０のコピーボタン２６１が選択されると、端末装置４は、世帯別ポスト管理装置２の情報管理手段２１に対して、選択されたコピーボタン２６１に対応する配信情報を個人別ポスト２４にコピーするリクエストが送信される（Ｓ６０）。
【００７１】
世帯別ポスト管理装置２の情報管理手段２１は、配信情報を個人別ポスト２４にコピーするリクエストを受信すると、このリクエストで示される配信情報を世帯別ポスト２３から個人別ポスト２４にコピーした後、この配信情報に対応するアイコン２６４を追加した後の個人別ポスト部２６３のページを端末装置４へ送信し（Ｓ６１）、端末装置４に表示されている個人別ポストページ２６の個人別ポスト部２６３を更新して（Ｓ６２）、図５のＳ２０に戻る。
【００７２】
なお、端末装置４は、個人別ポストページ２６を閉じる操作など、世帯別ポスト管理装置２との通信を切断する操作がなされると、図５の手順は終了する。
【００７３】
世帯別ポスト管理装置２の運営者は、世帯別ポストおよび、各世帯を構成する個人の属性（性別、年齢、住所地など）を把握していれば、世帯別ポスト２３を通じて個人に配信した配信情報について、どのような属性（性別、年齢、住所地など）の個人が開封したか、開封した場合の閲覧に要した時間（じっくり時間をかけて読んだか）を知ることができる。これによって、個人の行動に基づく、きめ細かなマーケティング分析が可能となる。
【００７４】
また、世帯別ポスト２３を利用する個人の個人情報は、世帯別ポスト管理装置２の運営者内のみに留まり、広告主（ここでは、情報配信装置３の運営者）には、世帯別ポスト管理装置２を利用する個人の属性や閲覧行動は知られないので、世帯別ポスト管理装置２を利用する個人は自らの個人情報が広告主に知られるという心配なく、安心して世帯別ポスト管理装置２を利用することができる。
【符号の説明】
【００７５】
１    世帯別ポストシステム
２    世帯別ポスト管理装置
２０  情報転送手段
２１  情報管理手段
２２  世帯別ポストＤＢ
２３  世帯別ポスト
２４  個人別ポスト
３    情報配信装置
４    端末装置
【図１】
2013206358.tif 000003
【図２】
2013206358.tif 000004
【図３】
2013206358.tif 000005
【図４】
2013206358.tif 000006
【図５】
2013206358.tif 000007
【図６】
2013206358.tif 000008
【図７】
2013206358.tif 000009
【図８】
2013206358.tif 000010
【図９】
2013206358.tif 000011
【図１０】
2013206358.tif 000012
【図１１】
2013206358.tif 000013